(57)【要約】      （修正有）【課題】介護師または健常者の介助がなくとも、屋内における所望の場所間で行き来できる屋内介護システムを提供する。【解決手段】意識混濁がない歩行不能な被介護者は、蒲団から起き出してベッド１上で着脱可能な搬送ネット２を尻の下に敷き、搬送ネットを搬器１０に引っ掛けることにより、コントローラを操作して搬器１０を上昇させ、またレール手段１３に沿って、操舵ハンドル４２を操作しつつ搬器１０を希望する場所に移動し、用事を済ませた後にはベッドに戻り、搬器を降ろし、搬送ネット２を搬器１０から外すことにより、蒲団の中に入ることができる。【選択図】図２
0003160725.tif 000002
【実用新案登録請求の範囲】
【請求項１】
図２の手押しボタン４１で動作する駆動モ−タ４０＆２９＆３８共に作動し。手押しボタン４１上げ・下げ・ができる。光電センサ機３９より常時放電中３６。駆動モ−タ・光電センサ機等を収容するハウジング本体８。レ−ル中車と歯車・固定支え板によって前進・後退ができる３０。移動機右左行き・指導板・手導によって思っている方向に行ける７＆１２利用方法は同じ。通常は直進を向いてるが右に行きたい時はハンドルを右に方向を向けると右にいける４２。レ−ルを緩やかに図３のカ−ブを走行できる添え棒２８。中車によって速やか走行可能な２７。長方形・鉄板によって小回りができる事を可能にした３１。療養者様をベットより吊り上げてあげる及びベット及び浴槽及びトイレの真上に静かに降ろしが可能な３２。療養者様を上げ・下げ中心的役割を果たすカッシヤ３３。療養者様を上げた時上げ過ぎ危険防止目印３４。療養者様を下げた時下げ過ぎ危険防止目印３５。色々な特徴有りの＜老老楽介護用具＞
【請求項２】
さらに、請求項１記載と連結した・仮台を室内にセットする事で図３の２３に線路の役目をするレ−ルを取り付け図２の１３て。直進・右進・左進・思った目標に行ける三角口・図１の１４。右・左・かトイレだったら左へ行ける二股口・図１の１７。図１の１３レ−ルに関連した全体を室内に組み立てた後に横ぶれ下がり止め防止図１の４３及び図１の４３と同じく横ぶれ下がり止め防止仕用品はアングル図１の２１。図３の１３レ−ルが各室内・間仕切りを通過するときに図３の２３仮台に１３レ−ルをボルト＆ナットで取り付ける図２の２４。図３の１３レ−ルを各室内の間仕切りの間が有りすぎた場合は危険防止の為の補強口図２の２５を図３の１３レ−ルを固定するオビ鉄板・図２の２６。−−−−−本考案は、＜老老楽介護用具＞に関するもので有る事。
【考案の詳細な説明】
【背景技術】
【０００１】従来、室内用の介護利用品は色々有りますが。例えば介護電動リフトとか。天井走行式リフト・必要な場所にその場その場に置く単品が多い事で療養者様はじめ介護関係者にも良く知られている事。
【産業上の利用分野】
【０００２】本考案は、ベットより離れたトイレ及び浴槽及びキッチンに行くにも。お爺ちゃん・お婆ちゃんの手助け見守り安全に思った場所に静かに連れて行ってくれる、＜老老楽介護用具＞に関する。
【発明が解決しょうとする課題】
【０００３】しかし、このょうにトイレに行くにも介護師又は元気な人にベットから療養者様は静かに起こして頂き。それから車椅子乗せて頂きトイレ行き便座の上に座るまで手助け無しでは解決しない不便さが有る事、
【課題を解決するための手段】
【０００４】この目的を達成するため、本考案＜老老楽介護用具＞は手押しボタンを押す事で始まり（ハウジング本体の内に収納された駆動モ−タ及び光電センサ等）駆動モ−タが専用レ−ルの下を静かに動き、静かに療養者様をベットより上げる、トイレでは便座の真上に行き静かに降ろしてあげることを特徴とする、
【考案の効果】
【０００５】本考案＜老老楽介護用具＞よればハウジング内に収容された駆動モ−タが動く事によって専用レ−ルを思った各所まで（図１に有るように）延ばし、療養者様がトイレ又は浴槽又はキッチンに行きたい時に３６５日何時でも療養者様が腰より下が動きが悪い人は一人でも行ける事、手助けが必要と思う療養者様に付きましては、お爺ちゃん・お婆ちゃんでも手押しボタンを押してあげるくらいの手助け安全見守りトイレに行った場合は後始末は温水ウオレッシュウ式便座にお任せ安心出来る事、一番の特徴はベットより思った各所に行くには乗り換え無しで、一直線で行ける事は楽だと思う事この＜老老楽介護用具＞を利用する事で  最少現人手・金銭・気兼ね無し・楽介護・便利用具。従来の介護用具。これ等の介護用具は各所・各所に単品・単品リス代も大変かと思う事、
【考案を実施するための最良の形態】
【０００６】本発明の好適な実施例によればベットの上に寝ていても何時も側に押しボタンと共にハウジング本体及び吊り半月・風呂敷式メッシュウが手元に有ることでベットから離れたトイレに行くにも速っと行ける事を可能にする、【０００７】次に図面につき、本考案の好適な実施例を詳細に説明する。
【実施例】図１に本考案＜老老楽介護用具＞の好適な実施例を示す。本考案＜老老楽介護用具＞のハウジング本体図１の８内部に走行用駆動モ−タ図２の４０を設置しそれに伴いチエン図２の３８及び上下歯車によりレ−ル中車と歯車に連結によって図２の３０。手押しボタン図２の４１を押す事で走行準備済。【０００８】ハウジング本体図１の８内部に吊り上げ・吊り下げ用駆動モ−タを設置し図２の３７。駆動モ−タ３７が回転する事でワイヤが吊り上がり・吊り下がり、図２の３２、吊り上がり過ぎ止め印図２の３４。吊り下がり過ぎ止め印図２の３５。吊り下げ・吊り上げ・中心用カッシヤ図１の３３。長方形・鉄板カ−ブを緩やかに小回り出来る用に図２の３１。【０００９】レ−ルの中を静かに回る中車図２の２７。レ−ルの中を静かに２７と共にカ−ブを穏やかに小回り出来る用に添え棒図１の２８。ハウジング本体図２の８の内部光電センサ機図２の３９を設置し赤外線を常時吊り上げ過ぎ止め印図２の３４及び吊り下げ過ぎ止め印図２の３５を照らし見張り番危険防止図２の３６安全を設ける。【００１０】療養者様がトイレに行く時は当然。ハウジング本体も共に動きだす事によって左に行くには。指導板を左に舵を取りトイレに行ける図１の１２。療養者様が浴槽に行く時は当然。ハウジング本体も共に動きだす事によって右に行くには。指導板を右に舵を取り浴槽に行ける図２の７。−−
（図２の７＆１２の指導板は前進・後進・右進・左進・への役目は同じ）
（図２の４２両サイド指導板を方向を変えれる摘みハンドル役目は同じ）【００１１】請求項１で述べた要に室内に図３の２３仮台を取り付けるには、後付けの為・室内改良無し・取り付け・取り外し自由・２３仮台の中心的役目は図１の１３レ−ルを取り付けて安全仮台図３の２３、療養者様を安心気楽に目的場所に案内出来る図１の１３、仮台２３にレ−ルを取り付けるボルト＆ナット図２の２４、室内の間仕切り・襖の開け閉めの上の敷居図２の２２。【００１２】療養者様を窮屈から解消出来る要に吊り上げ・吊り下げ用・半月を私用図２の１０、浴槽図２の１９、療養者様が私用するには。トイレは温水ウオレッシュウ式便座が望ましいと思う事図２の１８、直線・右進・左進と思った方向に行けるように療養者様も各所・各所の単式及び単式・乗り換え・より各所に優しく一直線で行ける楽介護用具図１の１４、【００１３】自由に行き交う図１の１４の底板を図面通り溝を作る事で三角形が抜け落ちる為溝の部分を除き基に戻し溶接で仕上げる図１の４９、腰から下が動きが悪い人に便利かと思う座椅子型キッチン行くにも気楽な図１の１５、キッチン及びガス台図１の１６＆２０、トイレ行きは左へ・浴槽行きは右への二股口図１の１７、【００１４】図１の１３レ−ルを取り付けた後横ぶれ防止固定台図１の４３、レ−ルの間が開きすぎた時は揺れ止め又は吊りアングル仕用図１の２１、−−間仕切りと間仕切りとの間が開きすぎる場合に下がり止め強度不足の補強図２の２５及び２５を固定板図２の２６、療養者様が療養できるベッド図１の１、療養者様が出来ましたら風呂敷式メッシュウ図１の２の上に寝ていて。いざトイレに行く時は図１の５に両足を通し図１の４丸金を図１の１０半月に引っ掛け。メッシュウを付けた間々トイレの温水ウオレッシュウ式便座に座り図１の６の開口によりオシッコもでき後始末は温水ウオレッシュウにお任せ便利開口図１の６、【００１５】ハウジング本体内部の駆動モ−タ及び光電センサの電源回路の元になる電源取り込み・差し込み図４の５０、配線を仕用位置まで上げて図４の５１、ラセン式電源配線をキャブタイヤ・ケ−ブルの先端に利用の意味は図４の要にように曲がりながらでも図４の５４配線走行用専用レ−ルはハウジング本体は直進・右進・左進は進のは可能ですが。図４の５４配線走行用専用レ−ルは図１の１３レ−ルを横切りが不可能の為ラセン式電源配線は専用レ−ル無しでも延び縮みするのでハウジング本体には悪影響無しの図４の５３、【００１６】ハウジング本体天場より内部の機器類の始動できるように電源配線連結する事で始動できる図４の５２、配線走行用専用レ−ルの役目はハウジング本体と共に電源配線を静かに及び確実にハウジング本体と共に付いて行けるように図４の５４、【００１７】配線走行用専用レ−ル図４の５４をその位置で固定する為の金物図４の５５、固定する為の金物をその位置で板金ビス止めて固定する図４の５６、電源配線・専用レ−ル内側での滑りが良いようにレ−ルの外側では配線を吊る事で内側の仕用品は中車図５の５７、・・図１の８のハウジング本体の外カ−バの仕用製品は薄い色付きトタン又はプラスチック製品。もし手助けの人が慌てて居てもし頭でも。かすめたら危険防止の為弾力製のある物が良いかと製品、
【図面の簡単な説明】
【００１８】
【図１】本考案の＜老老楽介護用具＞平面図・説明図。
【図２】同走行絵図・断面図。
【図３】同走行図・正面図・平面図・図面部分拡大図。
【図４】同電源配置通り図・平面図。
【図５】同電源配置通り部分拡大図・側面図・断面図。
本考案の＜老老楽介護用具＞図１の８ハウジング本体移動機。図１の１４三角口とは直進・右進・左進ができる移動口。図３の２３仮台・用具全体を支える関係を示す説明図。
【符号の説明】
【００１９】  １ベット又は敷蒲団
２風呂敷敷メッシュウ。
３メッシュウ切り込み閉じ用・丸金。
４メッシュウ吊り上げ下げ用・丸金。
５トイレに行く時に両足差し込み用。
６トイレでオシッコもできる自由口。
７移動機・右左行き・指導板・手導。
８ハウジング本体・移動機。
９長方形・小回り・鉄板。
１０メッシュウ吊り上げ・吊り下げ・半月。
１１メッシュウ吊り上げ・吊り下げ・結び丸金。
１２移動機・右左行き・指導板・手導。
１３レ−ル・移動機を導く。
１４三角口・直線・左右・自由路。
１５座椅子・キッチン行き用・？
１６流し。
１７二股口・左右行き用。
１８トイレ・便器・温水ウオレッシュウ便座利用。
１９浴槽。
２０キッチン・ガス台。
２１レ−ル横ぶれ防止アングル。
２２間仕切り・上敷居。
２３・１３レ−ルを吊る・仕上がり・仮台。
２４・１３レ−ルを吊る・ボルト・ナット。
２５・１３レ−ルの強度不足のみ・補強。
２６  ；      ；        ；    ・補強止め。
２７レ−ル内部・中・車。
２８レ−ル内部・中・通り添え棒。
２９歯車。
３０レ−ル・中・車と・歯車・固定支え板。
３１長方形・鉄板・小回り用。
３２吊り上げ・吊り下げ用・ワイヤ。
３３吊り上げ・吊り下げ用・カッシヤ。
３４吊り上げ過ぎ・止め・目印。
３５吊り下がり過ぎ・止め・目印。
３６光電センサ（光線）
３７駆動モ−タ。（小型）
３８歯車・中間・チエン。
３９光電センサ機。
４０駆動モ−タ（小型）
４１手押し・ボタン・上下前後・利用。
４２指導板・方向・つまみ・ハンドル。
４３レ−ル・横ぶれ・防止・仮台。
４９上・下・中・補強板。
５０電源・差し込み・配線走行用・専用。
５１電源・配線。
５２電源・図１の８の内部機々等と連結・部分。
５３電源・ラセン式・電源配線。
５４電源・配線・走行用・専用レ−ル。
５５電源・配線・走行用・専用レ−ル・位置・固定金物。
５６  ：      ：        ：      ：・位置・固定板金ビス。
５７：    ：          ：・専用レ−ル内・外吊り・中車。
５８・図１の８の外カ−バの仕用品は薄いトタン又はプラッチック。
【図１】
0003160725.tif 000003
【図２】
0003160725.tif 000004
【図３】
0003160725.tif 000005
【図４】
0003160725.tif 000006
【図５】
0003160725.tif 000007
【手続補正書】
【提出日】平成22年3月15日(2010.3.15)
【手続補正１】
【補正対象書類名】実用新案登録請求の範囲
【補正対象項目名】全文
【補正方法】変更
【補正の内容】
【実用新案登録請求の範囲】
【請求項１】
歩行不能な被介護者のための屋内介護システムにおいて、
屋内の各所に互いに離して配置する門構え構造の複数個のレール支持フレーム（２３）と、
これら支持フレーム（２３）を経由してベッドから屋内の必要箇所まで延在するよう前記レール支持フレーム（２３）に固定したレール手段（１３）と、
前記レール手段（１３）に連結し、このレール手段（１３）に並設した電源ケーブル案内手段（５４）と、
このレール手段（１３）から少なくとも３個のローラ対を有するローラ手段（２７）を介して懸垂する搬送手段と、
を備え、前記搬送手段は、
前記電源ケーブル案内手段（５４）によって案内される、コイル状に巻回して伸縮可能な電源ケーブル（５３）と、
前記ローラ手段（２７）の車軸から下方に突出する支持軸および車軸に関連しないガイド軸（２８）の周りにそれぞれ回動可能に連結するとともに、順次互いに連結した一連の支持プレート（３１）と、
２個の隣接する支持プレート（３１）間に連結して懸垂する制御ボックス（８）と、
この制御ボックス（８）に設け、前記電源ケーブル（５３）から給電されるコントローラ（４１）と、
前記制御ボックス（８）に設け、前記電源ケーブル（５３）により給電され、またコントローラ（４１）により制御されるローラ駆動用モータ（４０）および搬器昇降用駆動モータ（３７）と、
前記ローラ駆動用モータ（４０）により３個のローラ対のうち少なくとも一つを駆動する伝動機構（２９，３０，３８）と、
この搬器昇降用駆動モータ（３７）により昇降される、着脱可能な搬送ネットを有する搬器（１０）と、
この搬器（１０）と前記搬器昇降用駆動モータ（３７）との間を連結してモータ出力軸の周りに巻き取りおよび釈放されるワイヤ手段（３２）と、
このワイヤ手段の巻き取りおよび釈放を容易にし、搬器（１０）の昇降を容易にするよう前記支持プレートに設けた滑車手段（３３）と、
ワイヤの巻き取りおよび釈放の限界を感知する感知手段（３４，３５，３９）と、
前記一連の支持プレートにおける先頭および後尾の支持プレート（３１）にそれぞれ設けた操舵プレート（７，１２）、および
これら操舵プレートを操作するよう前記先頭および後尾の支持プレート（３１）にそれぞれ連結した操舵ハンドル（４２）と
を有する構成としたことを特徴とする屋内介護システム。
【請求項２】
請求項１記載の屋内介護システムにおいて、前記レール手段（１３）は矩形ボックス構造とし、上面を前記支持フレーム（１３）に固着し、下面には、前記ローラ手段（２７）の車軸から下方に突出する支持軸およびローラ車軸に関連しないガイド軸（２８）が通過できるガイド溝孔を設け、前記ローラ手段のローラ対をこのガイド溝孔の両側で、前記ボックス構造の側面または底面に沿って転動する構成とし、直線状レール部、湾曲するエルボ形レール部、左右に分岐する二股分岐レール部（１７）、および三叉分岐レール部（１４）により構成するものとしたことを特徴とする屋内介護システム。
【手続補正２】
【補正対象書類名】明細書
【補正対象項目名】全文
【補正方法】変更
【補正の内容】
【考案の詳細な説明】
【技術分野】
【０００１】
本考案は、歩行不能な被介護者、例えば、寝たきり老人または身障者のための屋内介護システムに関する。
【背景技術】
【０００２】
従来、屋内用の介護機器としては、例えば、電動車椅子、天井走行式リフト等がある。被介護者は、このような車椅子またはリフトに乗って、屋内で、ベッドと風呂場もしくは洗面所またはトイレ等との間で移動することができる。
【考案の概要】
【考案が解決しようとする課題】
【０００３】
しかし、従来の介護機器は、リフトへの乗り降りの際に介護師または健常者の介助を必要としていた。したがって、本考案は、意識混濁がない被介護者が、介護師または健常者の介助がなくとも、屋内における所望の場所間で行き来できる屋内介護システムを得るにある。
【課題を解決するための手段】
【０００４】
この目的を達成するため、本考案による屋内介護システムは、
屋内の各所に互いに離して配置する門構え構造の複数個のレール支持フレームと、
これら支持フレームを経由してベッドから屋内の必要箇所まで延在するよう前記レール支持フレームに固定したレール手段と、
前記レール手段に連結し、このレール手段に並設した電源ケーブル案内手段と、
このレール手段から少なくとも３個のローラ対を有するローラ手段を介して懸垂する搬送手段と、
を備え、前記搬送手段は、
前記電源ケーブル案内手段によって案内される、コイル状に巻回して伸縮可能な電源ケーブルと、
前記ローラ手段の車軸から下方に突出する支持軸および車軸に関連しないガイド軸の周りにそれぞれ回動可能に連結するとともに、順次互いに連結した一連の支持プレートと、
２個の隣接する支持プレート間に連結して懸垂する制御ボックスと、
この制御ボックスに設け、前記電源ケーブルから給電されるコントローラと、
前記制御ボックスに設け、前記電源ケーブルにより給電され、またコントローラにより制御されるローラ駆動用モータおよび搬器昇降用駆動モータと、
前記ローラ駆動用モータにより３個のローラ対のうち少なくとも一つを駆動する伝動機構と、
この搬器昇降用駆動モータにより昇降される搬器と、
この搬器と前記搬器昇降用駆動モータとの間を連結してモータ出力軸の周りに巻き取りおよび釈放されるワイヤ手段と、
このワイヤ手段の巻き取りおよび釈放を容易にし、搬器の昇降を容易にするよう前記支持プレートに設けた滑車手段と、
ワイヤの巻き取りおよび釈放の限界を感知する感知手段と、
前記一連の支持プレートにおける先頭および後尾の支持プレートにそれぞれ設けた操舵プレート、および
これら操舵プレートを操作するよう前記先頭および後尾の支持プレートにそれぞれ連結した操舵ハンドルと
を有する構成としたことを特徴とする。
【０００５】
本考案の好適な実施形態によれば、レール手段は矩形ボックス構造とし、上面を前記支持フレームに固着し、下面には、前記ローラ手段の車軸から下方に突出する支持軸およびローラ車軸に関連しないガイド軸が通過できるガイド溝孔を設け、前記ローラ手段のローラ対をこのガイド溝孔の両側で、前記ボックス構造の側面または底面に沿って転動する構成とし、直線状レール部、湾曲するエルボ形レール部、左右に分岐する二股分岐レール部、および三叉分岐レール部により構成するものとする。
【考案の効果】
【０００６】
本考案によれば、意識混濁がない歩行不能な被介護者は、蒲団から起き出してベッド上で着脱可能な搬送ネットを尻の下に敷き、搬送ネットを搬器に引っ掛けることにより、コントローラを操作して搬器を上昇させ、またレール手段に沿って、操舵ハンドルを操作しつつ搬器を希望する場所に移動し、用事を済ませた後にはベッドに戻り、搬器を降ろし、搬送ネットを搬器から外すことにより、蒲団の中に入ることができる。
意識混濁があるまたは寝起きもできない被介護者の場合は、介護師または健常者が、被介護者の尻の下に搬送ネットを差し込み、搬器に搬送ネットを引っ掛け、コントローラおよび操舵ハンドルを操作し、レール手段に沿って必要とする屋内箇所に行き、介助して用事を済ませた後には、コントローラおよび操舵ハンドルを操作し、レール手段に沿ってベッドに戻り、搬器を降ろし、搬送ネットを搬器から外し、蒲団の中に入れる。
つぎに、図面につき本考案の好適な実施形態を説明する。
【図面の簡単な説明】
【０００７】
【図１】本考案の好適な実施形態による屋内介護システムを示す平面図である。
【図２】本考案の好適な実施形態による屋内介護システムを示す説明図である。
【図３】（ａ）は本考案の好適な実施形態による屋内介護システムの三叉分岐レール部を示す拡大部分平面図であり、（ｂ）本考案の好適な実施形態による屋内介護システムのレール支持フレームを示す正面図である。
【図４】本考案の好適な実施形態による屋内介護システムのレール手段（１３）に並設した電源ケーブル案内手段も示す平面図である。
【図５】本考案の好適な実施形態による屋内介護システムの電源ケーブル案内手段およびコイル状に巻回して伸縮可能な電源ケーブルを示す説明図であり、（ａ）は側面図、（ｂ）は断面図である。
【考案を実施するための形態】
【０００８】
図１に本考案の好適な実施形態による屋内介護システムを示す。本考案屋内介護システムによれば、屋内の各所に互いに離して配置する門構え構造の複数個のレール支持フレーム２３と、これら支持フレーム２３を経由してベッドまたは蒲団１から屋内の必要箇所、例えば、トイレ１８、浴槽１９、キッチンの流しシンク１６、調理台２０等まで延在するようレール支持フレーム２３に固定する。レール手段１３を設ける。キッチンには座椅子１５を設けておくと好適である。レール支持フレーム１３は、ボルト／ナット手段２４で間柱等建物の構造部材に連結し、また建物の構造部材に固定した補強手段２５，２６で補強する。
【０００９】
このレール手段１３は矩形ボックス構造とし、上面を支持フレーム１３に固着し、下面には、ローラ手段２７（図２参照）の車軸から下方に突出する支持軸およびローラ車軸に関連しないガイド軸２８が通過できるガイド溝孔を設け、ローラ手段２７のローラ対をこのガイド溝孔の両側で、ボックス構造の側面または底面に沿って転動する構成とし、直線状レール部、湾曲するエルボ形レール部、左右に分岐する二股分岐レール部１７、および三叉分岐レール部１４により構成する。レール手段１３は、横ぶれ防止アングル２１、横ぶれ押え部材４３等で補強し、三叉分岐レール部１４は補強板４９で補強すると好適である。またレール手段１３は、部屋の間仕切りまたは上敷居２２を通過する。
【００１０】
レール手段１３に対して、図５（ｂ）に示すように、ステー５５およびビス５６により電源ケーブル案内手段５４を連結し、この電源ケーブル案内手段５４をレール手段１３に並設する（図５（ａ）および図４参照）。電源ケーブル案内手段５４には、コイル状に巻回して伸縮可能な電源ケーブル５３を複数個のスライダ５７により案内する。電源ケーブル５３は、配線コード５１と、制御ボックス８の接続部５２に接続し、配線コードは屋内コンセント５０に接続する。
【００１１】
レール手段１３から少なくとも３個のローラ対を有するローラ手段２７を介して搬送手段を懸垂する。この搬送手段は、ローラ手段２７の車軸から下方に突出する支持軸および車軸に関連しないガイド軸２８の周りにそれぞれ回動可能に連結するとともに、順次互いに連結した一連の支持プレート３１を設ける。２個の隣接する支持プレート３１間に連結して懸垂する制御ボックス８を設ける。
【００１２】
制御ボックス８内には、電源ケーブル５３から給電されるコントローラ４１と、電源ケーブル５３により給電され、またコントローラ４１により制御されるローラ駆動用モータ４０および搬器昇降用駆動モータ３７を設ける。
【００１３】
ローラ駆動用モータ４０から、駆動チェーン３８、駆動歯車２９，歯車支持体３０、駆動チェーン３８等より伝動機構を介してローラ手段２７の３個のローラ対のうち少なくとも一つを駆動する。このローラ対駆動によりローラ手段２７がレール手段１３の底面または側面に沿って転動し、以下に説明する操作ハンドル４２を操作しつつ所望の場所に移動することができる。
【００１４】
搬器昇降用駆動モータ３７は、着脱可能な搬送ネット２の吊り下げリング３，４を引っ掛ける搬器１０を駆動する。搬器１０は、図１に示すように、半円形の上部フレームと、この上部フレームに設けたワイヤ吊り下げ金具１１から垂下し、下端に搬送ネット２の吊り下げリング３，４を引っ掛けるフックを有する吊り下げワイヤを有する。搬送ネット２は、トイレに行くときに両脚を差し込むための脚開口部５と、トイレで用をたすための排便用開口部６を設ける。
【００１５】
この搬器１０と搬器昇降用駆動モータ３７との間を連結してモータ出力軸の周りに巻き取りおよび釈放されるワイヤ手段３２を設ける。またこのワイヤ手段の巻き取りおよび釈放を容易にし、搬器１０の昇降を容易にするよう支持プレート３１に滑車手段３３を設ける。ワイヤの巻き取りおよび釈放の限界、すなわち昇降の下限および上限を感知するためワイヤ手段３２に、上限マーク３４および下限マーク３５を設け、これらマーク３４，３５を感知する感知手段として、赤外線３６を送受する光電センサ３９を制御ボックス８に設ける。
【００１６】
一連の支持プレート３１における先頭および後尾の支持プレート３１にそれぞれ操舵プレート７，１２を設ける。これら操舵プレート７，１２を、二股分岐レール部１７または三叉分岐レール部１４で所望方向に向けて操舵するよう、先頭および後尾の支持プレート３１にそれぞれ操舵ハンドル４２を連結する。
【産業上の利用可能性】
【００１７】
本考案によれば、新築または既設の住宅に取り付け、歩行不能な被介護者を介助するのに利用できる。
【符号の説明】
【００１８】
１  ベッドまたは蒲団
２  搬送ネット
３  吊り下げリング
４  吊り下げリング
５  脚開口部
６  排便用開口部
７  操舵プレート
８  制御ボックス
１０  搬器
１１  ワイヤ吊り下げ金具
１２  操舵プレート
１３  レール手段
１４  三叉分岐レール部
１５  座椅子
１６  流しシンク
１７  二股分岐レール部
１８  トイレ
１９  浴槽
２０  調理台
２１  横ぶれ防止アングル
２２  間仕切り
２３  レール支持フレーム
２４  ボルト／ナット手段
２５  補強手段
２６  補強手段
２７  ローラ手段
２８  ガイド軸
２９  駆動歯車
３０  歯車支持体
３１  支持プレート
３２  ワイヤ手段
３３  滑車手段
３４  上限マーク
３５  下限マーク
３６  赤外線
３７  搬器昇降用駆動モータ
３８  駆動チェーン
３９  光電センサ
４０  ローラ駆動用モータ
４１  コントローラ
４２  操舵ハンドル
４３  横ぶれ押え部材
４９  補強板
５０  屋内コンセント
５１  配線コード
５２  接続部
５３  電源ケーブル
５４  電源ケーブル案内手段
５５  ステー
５６  ビス
５７  スライダ
【手続補正３】
【補正対象書類名】図面
【補正対象項目名】全図
【補正方法】変更
【補正の内容】
【図１】
0003160725.tif 000008
【図２】
0003160725.tif 000009
【図３】
0003160725.tif 000010
【図４】
0003160725.tif 000011
【図５】
0003160725.tif 000012
【手続補正書】
【提出日】平成22年4月24日(2010.4.24)
【手続補正１】
【補正対象書類名】実用新案登録請求の範囲
【補正対象項目名】全文
【補正方法】変更
【補正の内容】
【実用新案登録請求の範囲】
【請求項１】
歩行不能な被介護者のための屋内介護システムにおいて、
屋内の各所に互いに離して配置する門構え構造の複数個のレール支持フレーム（２３）と、
これらレール支持フレーム（２３）を経由してベッドから屋内の必要箇所まで延在するよう前記レール支持フレーム（２３）に固定したレール手段（１３）と、
前記レール手段（１３）に連結し、このレール手段（１３）に並設した電源ケーブル案内手段（５４）と、
このレール手段（１３）から少なくとも３個のローラ対を有するローラ手段（２７）を介して懸垂する搬送手段と、
を備え、前記搬送手段は、
前記電源ケーブル案内手段（５４）によって案内される、コイル状に巻回して伸縮可能な電源ケーブル（５３）と、
前記ローラ手段（２７）の車軸から下方に突出する支持軸および車軸に関連しないガイド軸（２８）の周りにそれぞれ回動可能に連結するとともに、順次互いに連結した一連の支持プレート（３１）と、
２個の隣接する支持プレート（３１）間に連結して懸垂する制御ボックス（８）と、
この制御ボックス（８）に設け、前記電源ケーブル（５３）から給電されるコントローラ（４１）と、
前記制御ボックス（８）に設け、前記電源ケーブル（５３）により給電され、またコントローラ（４１）により制御されるローラ駆動用モータ（４０）および搬器昇降用駆動モータ（３７）と、
前記ローラ駆動用モータ（４０）により３個のローラ対のうち少なくとも一つを駆動する伝動機構（２９，３０，３８）と、
この搬器昇降用駆動モータ（３７）により昇降される、着脱可能な搬送ネットを有する搬器（１０）と、
この搬器（１０）と前記搬器昇降用駆動モータ（３７）との間を連結してモータ出力軸の周りに巻き取りおよび釈放されるワイヤ手段（３２）と、
このワイヤ手段の巻き取りおよび釈放を容易にし、搬器（１０）の昇降を容易にするよう前記支持プレートに設けた滑車手段（３３）と、
ワイヤの巻き取りおよび釈放の限界を感知する感知手段（３４，３５，３９）と、
前記一連の支持プレートにおける先頭および後尾の支持プレート（３１）にそれぞれ設けた操舵プレート（７，１２）、および
これら操舵プレートを操作するよう前記先頭および後尾の支持プレート（３１）にそれぞれ連結した操舵ハンドル（４２）と
を有する構成としたことを特徴とする屋内介護システム。
【請求項２】
請求項１記載の屋内介護システムにおいて、前記レール手段（１３）は矩形ボックス構造とし、上面を前記レール支持フレーム（２３）に固着し、下面には、前記ローラ手段（２７）の車軸から下方に突出する支持軸およびローラ車軸に関連しないガイド軸（２８）が通過できるガイド溝孔を設け、前記ローラ手段のローラ対をこのガイド溝孔の両側で、前記ボックス構造の側面または底面に沿って転動する構成とし、直線状レール部、湾曲するエルボ形レール部、左右に分岐する二股分岐レール部（１７）、および三叉分岐レール部（１４）により構成するものとしたことを特徴とする屋内介護システム。
【手続補正２】
【補正対象書類名】明細書
【補正対象項目名】０００４
【補正方法】変更
【補正の内容】
【０００４】
この目的を達成するため、本考案による屋内介護システムは、
屋内の各所に互いに離して配置する門構え構造の複数個のレール支持フレームと、
これらレール支持フレームを経由してベッドから屋内の必要箇所まで延在するよう前記レール支持フレームに固定したレール手段と、
前記レール手段に連結し、このレール手段に並設した電源ケーブル案内手段と、
このレール手段から少なくとも３個のローラ対を有するローラ手段を介して懸垂する搬送手段と、
を備え、前記搬送手段は、
前記電源ケーブル案内手段によって案内される、コイル状に巻回して伸縮可能な電源ケーブルと、
前記ローラ手段の車軸から下方に突出する支持軸および車軸に関連しないガイド軸の周りにそれぞれ回動可能に連結するとともに、順次互いに連結した一連の支持プレートと、
２個の隣接する支持プレート間に連結して懸垂する制御ボックスと、
この制御ボックスに設け、前記電源ケーブルから給電されるコントローラと、
前記制御ボックスに設け、前記電源ケーブルにより給電され、またコントローラにより制御されるローラ駆動用モータおよび搬器昇降用駆動モータと、
前記ローラ駆動用モータにより３個のローラ対のうち少なくとも一つを駆動する伝動機構と、
この搬器昇降用駆動モータにより昇降される搬器と、
この搬器と前記搬器昇降用駆動モータとの間を連結してモータ出力軸の周りに巻き取りおよび釈放されるワイヤ手段と、
このワイヤ手段の巻き取りおよび釈放を容易にし、搬器の昇降を容易にするよう前記支持プレートに設けた滑車手段と、
ワイヤの巻き取りおよび釈放の限界を感知する感知手段と、
前記一連の支持プレートにおける先頭および後尾の支持プレートにそれぞれ設けた操舵プレート、および
これら操舵プレートを操作するよう前記先頭および後尾の支持プレートにそれぞれ連結した操舵ハンドルと
を有する構成としたことを特徴とする。
【手続補正３】
【補正対象書類名】明細書
【補正対象項目名】０００５
【補正方法】変更
【補正の内容】
【０００５】
本考案の好適な実施形態によれば、レール手段は矩形ボックス構造とし、上面を前記レール支持フレームに固着し、下面には、前記ローラ手段の車軸から下方に突出する支持軸およびローラ車軸に関連しないガイド軸が通過できるガイド溝孔を設け、前記ローラ手段のローラ対をこのガイド溝孔の両側で、前記ボックス構造の側面または底面に沿って転動する構成とし、直線状レール部、湾曲するエルボ形レール部、左右に分岐する二股分岐レール部、および三叉分岐レール部により構成するものとする。